(57)【要約】【課題】  口座情報に応じたコンテンツ情報を生成することにより、視認性が高く効率的な口座情報出力システム及び口座情報出力方法を得る。【解決手段】  口座情報を管理する情報処理システムであって、情報処理システムで管理する口座変動情報を管理する変動値管理部１０ａと、コンテンツ変換情報を管理する設定値格納部１０ｂと、口座変動情報とコンテンツ変換情報とを比較しコンテンツ情報を生成するコンテンツ情報生成部１０ｃとを備える。【選択図】  図１
2006318295.tif 000002
【特許請求の範囲】
【請求項１】
口座情報を管理する情報処理システムであって、
前記情報処理システムで管理する口座変動情報を管理する変動値管理部と、
コンテンツ変換情報を管理する設定値格納部と、
前記口座変動情報と前記コンテンツ変換情報とを比較しコンテンツ情報を生成するコンテンツ情報生成部
とを備えることを特徴とする口座情報出力システム。
【請求項２】
前記変動値管理部は、前記口座変動情報の内容が書き換えられた更新時毎に前記口座変動情報を出力することを特徴とする請求項１に記載の口座情報出力システム。
【請求項３】
前記変動値管理部は、アクセス要求毎に前記口座変動情報を出力することを特徴とする請求項１に記載の口座情報出力システム。
【請求項４】
前記コンテンツ情報生成部は、前記口座変動情報の個別制御項目のうちアクティブな項目と、コンテンツ変換情報とを比較しコンテンツ情報を生成することを特徴とする請求項１に記載の口座情報出力システム。
【請求項５】
口座情報を管理する情報処理方法であって、
口座情報を管理する情報処理システムが、口座変動情報を管理する変動値管理ステップと、
前記情報処理システムが、コンテンツ変動情報を管理するステップと、
前記情報処理システムが、口座変動情報と前記コンテンツ変換情報とを比較しコンテンツ情報を生成するコンテンツ情報生成ステップと、
を備える口座情報出力方法。
【請求項６】
前記変動値管理ステップにおいて、前記情報処理システムは前記口座変動情報の内容が書き換えられた更新時毎に前記口座変動情報を出力するステップをさらに備えることを特徴とする請求項５に記載の口座情報出力方法。
【請求項７】
前記変動値管理ステップにおいて、前記情報処理システムはアクセス要求毎に前記口座変動情報を出力するステップをさらに備えることを特徴とする請求項５に記載の口座情報出力方法。
【請求項８】
前記コンテンツ情報生成ステップにおいて、前記情報処理システムは前記口座変動情報の個別制御項目のうちアクティブな項目と、コンテンツ変換情報とを比較しコンテンツ情報を生成するステップをさらに備えることを特徴とする請求項５に記載の口座情報出力方法。
【発明の詳細な説明】
【技術分野】
【０００１】
本発明は、口座情報出力システムに関し、特に情報提供端末に口座情報を表示する口座情報出力システム及び口座情報出力方法に関する。
【背景技術】
【０００２】
銀行や証券会社などが管理する口座情報は、現金自動支払い機（ＡＴＭ）やインターネットに接続された汎用端末装置などの端末装置を介して提供される。端末装置の表示画面には、取引金額や残高などの口座情報が、数値や文字情報で表示されている（例えば、特許文献１参照。）。商品情報や口座情報は多様化が進み、増加する傾向にある。
【特許文献１】特開２００４−１１０８２２号公報
【発明の開示】
【発明が解決しようとする課題】
【０００３】
上記の特許文献１において提案された方法では、取引金額や残高、運用履歴、運用成績を数値情報やテキスト情報で表示するだけで視認性が低い。特に、金融関連の知識が少ない利用者にとっては、表示される文字情報や数値の増減の意味が理解できないことも懸念される。また、商品情報や口座情報の増加によって、視認性が低下する問題がある。
【０００４】
本発明は、上記事情を考慮してなされたもので、その目的とする所は、口座情報に応じたコンテンツ情報を生成することにより、視認性が高く効率的な情報提供が可能な口座情報出力システム及び口座情報出力方法を提供することである。
【課題を解決するための手段】
【０００５】
上記目的を達成するために、本発明の第１の特徴は、口座情報を管理する情報処理システムであって、情報処理システムで管理する口座変動情報を管理する変動値管理部と、コンテンツ変換情報を管理する設定値格納部と、口座変動情報とコンテンツ変換情報とを比較しコンテンツ情報を生成するコンテンツ情報生成部とを備える口座情報出力システムであることを要旨とする。
【０００６】
本発明の第１の特徴によれば、口座情報に応じたコンテンツ情報を生成することにより、視認性が高く効率的な情報提供が可能な口座情報出力システムを提供できる。
【０００７】
本発明の第２の特徴は、口座情報を管理する情報処理方法であって、口座情報を管理する情報処理システムが、口座変動情報を管理する変動値管理ステップと、情報処理システムが、コンテンツ変換情報を管理するステップと、情報処理システムが、口座変動情報とコンテンツ変換情報とを比較しコンテンツ情報を生成するコンテンツ情報生成ステップとを備える口座情報出力方法であることを要旨とする。
【０００８】
本発明の第２の特徴によれば、口座情報に応じたコンテンツ情報を生成することにより、視認性が高く効率的な情報提供が可能な口座情報出力方法を提供できる。
【発明の効果】
【０００９】
本発明によれば、口座情報に応じたコンテンツ情報を生成することにより、視認性が高く効率的な情報提供が可能となる。
【発明を実施するための最良の形態】
【００１０】
次に、図面を参照して、本発明の実施の形態を説明する。以下の図面では、同一又は類
似の部分には同一又は類似の符号を付している。また、以下に説明する実施の形態は、本発明の技術思想を具体化するための装置や方法を例示するものであり、本発明の技術思想を以下の内容に特定するものではない。
【００１１】
本発明の実施の形態で説明する「口座情報」とは、銀行口座や証券口座などの金融口座が管理する情報である。例えば、年齢、性別、生年月日、口座利用期間などの利用者情報が挙げられる。また、預金、株式、債券、投資信託などの残高情報及び運用成績を用いることもできる。
【００１２】
「口座変動情報」とは、年齢、口座利用期間などの利用者情報や預金残高情報、株式運用情報といった口座情報がどのように変動したかという情報である。また、「コンテンツ変換情報」とは、口座情報が閾値の範囲のいずれに含まれるかといった情報である。
【００１３】
（第1の実施の形態）
本発明の第１の実施の形態に係る口座情報出力システムは、図１に示すように、口座情報を格納する口座情報記憶部６と、コンテンツ情報を格納するコンテンツ記憶部７と、口座情報に変動があった場合に出力される口座変動情報とコンテンツ変換情報を比較した結果に応じたコンテンツ情報を生成する処理制御装置１０とを備える。処理制御装置１０は、口座情報に変動があった場合に口座変動情報を出力する変動値管理部１０ａと、コンテンツ変換情報を管理する設定値格納部１０ｂと、口座変動情報とコンテンツ変換情報とを比較しコンテンツ情報を生成するコンテンツ情報生成部１０ｃとを含む。例えば、変動値管理部１０ａは、口座変動情報の内容が書き換えられた更新時毎に口座変動情報を出力する。また、変動値管理部１０ａは、アクセス要求毎に口座変動情報を出力するものとしてもよい。コンテンツ情報生成部１０ｃは、口座変動情報の個別制御項目のうちアクティブな項目とコンテンツ変換情報とを比較し、コンテンツ情報を生成する。
【００１４】
処理制御装置１０には、情報を入力するための入力装置１、処理制御装置１０の内部で演算処理したデータを表示する出力装置２、処理制御装置１０の内部で演算処理する際の情報を一時的に記憶する一時記憶装置５、口座情報記憶部６、コンテンツ記憶部７が接続される。また、処理制御装置１０は、通信手段４を介して利用者端末３に接続される。利用者端末３としては、パーソナルコンピュータ、携帯情報端末、携帯電話機、ＡＴＭなどが考えられる。通信手段４としては、インターネットや専用通信回線、無線通信などが考えられる。入力装置１は、利用者や管理者が入力したデータを受け付ける。入力装置１から入力したデータは、処理制御装置１０に含まれる変動値管理部１０ａに入力される設定値を設定する際にも使用される。出力装置２には、入力装置１から入力されるデータや、処理制御装置１０の内部に格納されるデータが表示される。一時記憶装置５は、処理制御装置１０で演算されるデータを一時的に格納する。ただし、処理制御装置１０が一時記憶装置５を内蔵しているものとしてもよい。
【００１５】
本発明の第１の実施の形態に係る処理制御装置１０の動作を、図２及び図３を用いて説明する。ただし、図３に示すように、口座情報が契約期間Ｔ、残高情報Ｂ、年齢情報Ａ、運用情報Ｍであるとして模式的に説明する。
【００１６】
（イ）図２のステップ１０１において、口座情報記録部６に記録された口座情報が変動した場合に、口座情報の変化量を示す口座変動情報を出力する。
【００１７】
（ロ）次に、図２のステップ１０２において、口座変動情報とコンテンツ変換情報とを比較し選定情報を出力する。例えば、図３に示すように、コンテンツ変換情報のうち契約期間Ｔが、契約期間閾値区間Ｔ０〜Ｔ９のいずれの範囲にあるかを判定する。残高情報Ｂが、残高情報閾値区間Ｂ０〜Ｂ９のいずれの範囲にあるかを判定する。年齢情報Ａが、年
齢情報閾値区間Ａ０〜Ａ９のいずれの範囲にあるかを判定する。運用情報Ｍが、運用情報閾値区間Ｍ０〜Ｍ９のいずれの範囲にあるかを判定する。
【００１８】
（ハ）図２のステップ１０３において、口座変動情報とコンテンツ変換情報の比較結果から選定情報を生成する。例えば、図３に示すように、契約期間Ｔが契約期間閾値Ｔ０にある場合は、コンテンツ記憶部７に格納されるコンテンツと対応している契約期間選定情報ＣＴ０が出力される。残高情報Ｂが残高情報閾値Ｂ１にある場合は、コンテンツ記憶部７に格納されるコンテンツと対応している残高情報選定情報ＣＢ１が出力される。年齢情報Ａが年齢情報閾値Ａ２にある場合は、コンテンツ記憶部７に格納されるコンテンツと対応している年齢情報選定情報ＣＡ２が出力される。運用情報Ｍが運用情報閾値Ｍ９にある場合は、コンテンツ記憶部７に格納されるコンテンツと対応している運用情報選定情報ＣＭ９が出力される。
【００１９】
（二）図２のステップ１０４において、選定情報からコンテンツ情報を生成する。ここでは、図４に示すように、契約期間選定情報ＣＴ０、残高情報選定情報ＣＢ１、年齢情報選定情報ＣＡ２、運用情報選定情報ＣＭ９がそれぞれに対応するコンテンツを合成し、コンテンツ情報が生成される。例えば、契約期間選定情報ＣＴ０は、背景コンテンツ２１やタイトル表示コンテンツ２２と対応している。残高情報選定情報ＣＢ１は、キャラクタ情報２３のコンテンツと対応している。年齢情報選定情報ＣＡ２は、商品広告コンテンツ２４と対応している。運用情報選定情報ＣＭ９は、運用成績コンテンツ２５と対応している。コンテンツ情報２０は、通信手段４を介して利用者端末３の画面上に表示される。
【００２０】
キャラクタ情報２３は、図５に示すように、残高情報選定情報ＣＢ０、ＣＢ１及びＣＢ２以上の選定情報に応じて成長させ、複数の階層で表示してもよい。残高情報選定情報ＣＢ０が選定された場合には、キャラクタ３１を出力する。残高情報選定情報ＣＢ１が選定された場合には、キャラクタ３２を出力する。残高情報選定情報ＣＢ２が選定された場合には、キャラクタ３３を出力する。
【００２１】
第１の実施の形態に係る口座情報出力システムによれば、口座情報に応じたコンテンツ情報を生成することにより、視認性が高く効率的な情報提供が可能となる。また、契約期間、残高情報、年齢情報及び運用情報ごとにコンテンツを生成することにより、利用状況や利用者情報に応じてサービスを差別化できる。
【００２２】
（第２の実施の形態）
本発明の第２の実施の形態に係る口座情報出力システムは、第１の実施の形態で用いた口座情報を株式運用情報、債券運用情報、投資信託運用情報、現預金残高としている。ただし、図６に示すように、運用成績が正である場合には白、負である場合には黒とし、成績の大きさを相対的に高さで表現するとして模式的に説明する。
【００２３】
本発明の第２の実施の形態に係る処理制御装置１０は、口座情報である株式運用情報、債券運用情報、投資信託運用情報、現預金残高に変動があった場合、口座変動情報を出力する。次に、口座変動情報とコンテンツ変換情報とを比較し株式運用選定情報ＥＩ、債券運用選定情報ＤＩ、投資信託運用選定情報ＴＩ、現預金残高選定情報ＣＩを出力する。株式運用選定情報ＥＩ、債券運用選定情報ＤＩ、投資信託運用選定情報ＴＩ、現預金残高選定情報ＣＩがそれぞれに対応するコンテンツを合成したコンテンツ情報２０を生成する。例えば、図６に示すように、株式運用選定情報ＥＩと対応する株式運用コンテンツ４４、債券運用選定情報ＤＩと対応する債券運用コンテンツ４３、投資信託運用選定情報ＴＩと対応する投資信託運用コンテンツ４２、現預金残高選定情報ＣＩと対応する現預金残高コンテンツ４１を合成しコンテンツ情報２０を生成する。生成されたコンテンツ情報２０は、通信手段４を介して利用者端末３に出力される。
【００２４】
第２の実施の形態に係る口座情報出力システムによれば、口座情報に応じたコンテンツ情報を生成することにより、視認性が高く効率的な情報提供が可能となる。
【００２５】
（第３の実施の形態）
本発明の第３の実施の形態に係る口座情報出力システムは、図７に示すように、第１の実施の形態で説明した口座情報の項目ごとに、コンテンツ情報の生成の可否を制御する制御テーブル５１を設けている。制御テーブル５１は、個別制御項目ＡＣ１〜ＡＣ４を使用するかどうかの判断をするテーブルである。個別制御項目ＡＣ１〜ＡＣ４の状態は、ＯＮ状態又はＯＦＦ状態に設定される。例えば、個別制御項目ＡＣ１、ＡＣ２がＯＮ状態の場合、個別制御項目ＡＣ１に対応する契約期間Ｔと、個別制御項目ＡＣ２に対応する残高情報Ｂが選定情報として出力される。個別制御項目ＡＣ３、ＡＣ４がＯＦＦ状態の場合には、個別制御項目ＡＣ３に対応する年齢情報Ａと、個別制御項目ＡＣ４に対応する運用情報Ｍは選定情報として出力されない。
【００２６】
第３の実施の形態に係る口座情報出力システムによれば、口座情報に応じたコンテンツ情報を生成することにより、視認性が高く効率的な情報提供が可能となる。更に、利用者及びサービス提供者が設定できる制御テーブル５１を持つことにより、利用者の要求に応じたサービスが提供できる。
【００２７】
（その他の実施の形態）
本発明の第１〜第３の実施の形態で説明したコンテンツ情報は、背景情報、文章情報、キャラクタ情報などを用いているが、音楽、静止画像、動画像、データベースとすることができる。例えば、音楽情報とは、画面を表示時のバックグラウンドミュージック（ＢＧＭ）や、データ入力時の効果音が考えられる。
【００２８】
本発明の第１〜第３の実施の形態で説明した選定情報は、１対１で生成されるが、口座情報のうち二つの項目の平均値、及び重み付けをした値で演算した結果を用いて生成してもよい。
【００２９】
本発明の第１〜第３の実施の形態では、選定情報を一つの階層で生成しているが、複数の階層に生成してもよい。複数の階層とは、例えば、コンテンツをグループ化した複数のテーブルを設け、複数の口座情報のうち第１項目を使用してコンテンツのテーブルを選定し、第２項目を使用して選定情報を生成し、コンテンツ情報を生成することである。階層数は、２段に限定されず更に複数の階層を有してもよい。
【００３０】
本発明の第１〜第３の実施の形態で説明した閾値情報は、０〜９までの１０区間で説明しているが、区間の数は限定されない。
【００３１】
本発明の第１〜第３の実施の形態で説明した口座情報は、４つの項目があるとして説明しているが、項目の数は４つに限定されない。
【図面の簡単な説明】
【００３２】
【図１】本発明の第１の実施の形態に係る口座情報出力システムを説明する図である。
【図２】本発明の第１の実施の形態に係る口座情報出力システムの動作を説明する図である。
【図３】本発明の第１の実施の形態に係る口座情報出力システムの選定情報生成を説明する図である。
【図４】本発明の第１の実施の形態に係る口座情報出力システムのコンテンツ情報の生成を説明する図である。
【図５】本発明の第１の実施の形態に係る口座情報出力システムのキャラクタの生成を説明する図である。
【図６】本発明の第２の実施の形態に係る口座情報出力システムを説明する図である。
【図７】本発明の第３の実施の形態に係る口座情報出力システムを説明する図である。
【符号の説明】
【００３３】
１  入力装置
２  出力装置
３  利用者端末
４  通信手段
５  一時記憶装置
６  口座情報記憶部
７  コンテンツ記憶部
１０  処理制御装置
１０ａ  変動値管理部
１０ｂ  設定値格納部
１０ｃ  コンテンツ情報生成部
２０  コンテンツ情報
２１  背景コンテンツ
２２  タイトル表示コンテンツ
２３  キャラクタ情報
２４  商品広告コンテンツ
２５  運用成績コンテンツ
３１，３２，３３  キャラクタ
４１  現預金残高コンテンツ
４２  投資信託運用コンテンツ
４３  債券運用コンテンツ
４４  株式運用コンテンツ
５１  制御テーブル
【図１】
2006318295.tif 000003
【図２】
2006318295.tif 000004
【図３】
2006318295.tif 000005
【図４】
2006318295.tif 000006
【図５】
2006318295.tif 000007
【図６】
2006318295.tif 000008
【図７】
2006318295.tif 000009